(57)【特許請求の範囲】
【請求項１】
水平面状の固定片と該固定片の略中央部分を上方に突出した立ち上がり片を有する敷目板と該敷目板の表面あるいは裏面に形成した不燃シートとからなる耐火敷目板と、水平面状の化粧面と該化粧面の一方端部近傍を窪ませた溝部と化粧面の端部を下方に屈曲した側壁と該側壁の下端を略外方に突出した突出片と該突出片の外方端部を下方に折り返した補強片とからなる雄型固定片と化粧面の他方端部近傍を窪ませた溝部と化粧面の端部を下方に屈曲した側壁と該側壁の下端を略内方に折り返した折り返し片と該折り返し片の内方端部を下方に折り返した補強片とからなる雌型固定片とから構成される表面材と、水平面状の裏面化粧面と該裏面化粧面の両端を上方に屈曲した補強片を有する裏面材と、該表面材と裏面材間にサンドイッチされた芯材とから構成される長尺状の耐火パネルと、突出片と折り返し片の間に配される耐火目地材と、溝部内に配される溝部カバー材とを有し、耐火敷目板を一定ピッチで複数本躯体に固定し、耐火パネルを耐火敷目板間に挿入すると共に、耐火パネルの溝部を固定具により躯体に固定したことを特徴とする耐火パネルの取付構造。
【発明の詳細な説明】
【０００１】
【産業上の利用分野】
本発明は建築、構築物の内壁材、外壁材、屋根材、天井材、床材、間仕切り材、あるいは防火戸等として使用でき、かつ、製造後に膨れ、反り等の変形がなく、しかも防火性、耐火性、機械強度に優れた耐火パネルの取付構造に関するものである。
【０００２】
【従来の技術】
一般に、薄板状の表面材と裏面材にてフェノール樹脂発泡体（フェノールフォーム）からなる芯材をサンドイッチした耐火パネルは数多く発明、考案されて上市されている。
【０００３】
【発明が解決しようとする課題】
しかしながら、上記のような耐火パネルにおいては、▲１▼連結部構造は複雑で、かつ横張り構造が主であったために、窓廻り等の施工性が非常に悪かった。▲２▼軽く、縦張りで、施工性が良く、ＪＩＳ−Ａ−１３０４の耐火構造試験に合格できる耐火パネルの取付構造はなかった。▲３▼大型の建物に対する施工性が悪かった。等の欠点があった。
【０００４】
【課題を解決するための手段】
本発明はこのような欠点を除去するため、断面略逆Ｔ字状で不燃シートを形成した長尺状の耐火敷目板と、両端の化粧面に溝部を形成し相决り構造に形成した表面材と、水平面状の裏面化粧面と裏面化粧面の両端を上方に屈曲した補強片を有する裏面材間に芯材を形成した長尺状の耐火パネルと、目地間に形成される耐火目地材と、溝部内に配される溝部カバー材とを有し、耐火敷目板を一定ピッチで複数本躯体に固定し、耐火パネルを耐火敷目板間に挿入すると共に、耐火パネルを溝部にて固定具により躯体に固定したことにより、連結部構造が簡素で窓廻りや張り始め等の施工性が良く、大型の建物に対する施工性に優れ、また軽く、縦張りで、ＪＩＳ−Ａ−１３０４の耐火構造試験に合格できる耐火パネルの取付構造を提案するものである。
【０００５】
【実施例】
以下に図面を用いて本発明に係る耐火パネルの取付構造の一実施例について詳細に説明する。すなわち、図１は上記耐火パネルの取付構造を示す断面図であり、αは躯体、βは釘、ビス等からなり躯体αへの打設に用いる固定具、Ａは耐火敷目板、Ｂは耐火パネル、Ｃは耐火目地材、Ｄはコーキング材、Ｅは溝部カバー材、Ｆは目地部である。
【０００６】
さらに詳説すると、耐火敷目板Ａは図２に示すように、水平面状の固定片１と、固定片１の略中央を上方に突出した立ち上がり片２とから断面略逆Ｔ字状に形成した金属製の敷目板３と、図では敷目板３の表面側に形成した不燃シート４とからなる長尺状のものであり、金属製板材をロール成形により、あるいは押出成形により成形した敷目板３に不燃シート４を接着剤等で一体化したものである。また、１ａは防水性の強化、危険防止用の舌片であり不燃シート４の端部を挟持させることもできる。
【０００７】
この耐火敷目板Ａは、図１に示すように耐火パネルＢの目地部Ｆの裏面に形成し、耐火パネルＢ間からの躯体α側への雨水、火炎等の浸入防止、耐火パネルＢ固定の際のガイド等として機能するものである。
【０００８】
不燃シート４は無機繊維をシート状にしたもので、例えばロックウールフェルト、セラミックウール、グラスウール等からなり、敷目板３の形状に沿って敷設するものであり、図１に示すように目地部Ｆ形成後には耐火パネルＢの端部に密着することにより、目地部Ｆの耐火性能の向上に有効である。
【０００９】
耐火パネルＢは、例えば図３に示すような形状で、かつ、長尺体とした表面材５と、表面材５の裏面に形成した芯材２０と、芯材２０の裏面を被覆した裏面材１７とからサンドイッチ構造に形成したものである。
【００１０】
表面材５は、水平面状の化粧面６と化粧面６の一方の端部に形成した雄型固定片７ともう一方の端部に形成した雌型固定片８とから形成されるものであり、雄型固定片７は化粧面６の端部近傍を窪ませた溝部９と化粧面６の端部を下方に屈曲した側壁１０と側壁１０の下端を外方に突出した突出片１１と突出片１１の外方端部を下方に折り返した補強片１２とから構成される。
【００１１】
溝部９は耐火パネルＢの雄型固定片７側を固定する固定具βを打設する箇所であり、底部に化粧面６と平行の面を有するもので、その深さは固定具βの頭部の高さ以上である。溝部９の断面形状は、溝部カバー材Ｅを取り付け、係止する都合上、底辺が長い台形状に形成することが好ましい。
【００１２】
側壁１０は化粧面６の端部を下方に屈曲するもので、化粧面６と突出片１１を接続するものである。突出片１１は側壁１０の下端部を外方に屈曲するするものであり、雌型固定片８の折り返し片１５と略平行に形成される。
【００１３】
雌型固定片８は、化粧面６の雄型固定片７とは他方の端部近傍を窪ませた溝部１３と化粧面６の端部を下方に屈曲した側壁１４と側壁１４の下端を内方に延長した折り返し片１５と折り返し片１５の端部を下方に屈曲した補強片１６とから構成されるものである。
【００１４】
溝部１３は耐火パネルＢの雌型固定片８側を固定する固定具βを打設する箇所であり、形状、機能共に溝部９と同様である。側壁１４は化粧面６の端部を下方に屈曲するもので、化粧面６と折り返し片１５を接続するものである。折り返し片１５は側壁１４の下端部を内方に屈曲するするものであり、雄型固定片７の突出片１１と略平行に形成される。
【００１５】
裏面材１７は図３に示すように主に芯材２０の裏面を被覆し、補強材、防水材、防湿材、防火材の機能を有すると共に、芯材２０が躯体αに直接接触するのを防止する隔離材として役立つものである。
【００１６】
また、裏面材１７の形状としては、水平面状の裏面化粧面１８と、裏面化粧面１８の両端を内方にコ字状に屈曲した補強片１９よりなるものである。
【００１７】
補強片１２、補強片１６、補強片１９は芯材２０の原料となるプラスチックフォーム２１を充填する際、プラスチックフォーム２１が補強片１２、補強片１６の表面側に漏れないようにすると共に、耐火パネルＢの側縁を直線状にし、耐火パネルＢの寸法精度を向上することにより、働き幅の寸法精度を向上させ、かつ、目地部Ｆの間隙をなくし断熱性、気密性等を向上するためのものである。
【００１８】
表面材５、裏面材１７は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、および塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、裏面材１７としてアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布、等の１種、または２種以上をラミネートしたもの、あるいは防水処理、難燃処理されたシート状物からなるものである。
【００１９】
また、芯材２０はプラスチックフォーム２１からなり、プラスチックフォーム２１はポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体からなるものであり、例えばレゾール型フェノールの原液と、硬化剤、発泡剤を混合し、表面材５、もしくは裏面材１７の裏面側に吐出させ、加熱して反応・発泡・硬化させて形成したものである。また、プラスチックフォーム２１中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。
【００２０】
プラスチックフォーム２１の具体例としてはレゾール型のフェノールフォームに、発泡剤、水酸化アルミニウム（Ａｌ（ＯＨ）3 ）、ポリリン酸アンモニウム、グラファイト、硬化剤、等を混入し、発泡、硬化させ、仕上がり密度で５０〜３００Ｋｇ／ｍ3 位に形成したものである。このプラスチックフォーム２１を使用した耐火パネルＢを使用して壁を形成した場合には、ＪＩＳ−Ａ−１３０４（耐火性能別に耐火３０分、耐火１時間、耐火２時間の試験がある）の耐火構造１時間試験に合格できる耐火性能を有する構造となる。
【００２１】
耐火目地材Ｃは突出片１１と折り返し片１５の間に配されるものであり、例えばロックウールフェルト、セラミックウール、グラスウール、もしくは耐火性を有するガスケット等よりなり、ＪＩＳ−Ａ−１３０４の耐火構造試験の耐火構造１時間試験時に目地部Ｆに間隙が形成されるのを防止して火炎の浸入を遮断し、主に耐火材、気密材等の機能として有用なものである。耐火目地材Ｃは、突出片１１と折り返し片１５にて圧縮を加えつつ挟持すれば、密度を増しかつ隙間無く形成されることになり、目地部Ｆの耐火性の向上に有効である。
【００２２】
コーキング材Ｄは、耐火目地材Ｃ上でかつ耐火パネルＢ間に配されるもので、防水性を向上するためのものであり、その素材としてシリコン系、変性シリコン系のコーキング材、ＰＶＣ、ポリプロピレン、ポリ塩化ビニル、ポリスチレン、ポリエチレン、ＥＰＤＭ、アスファルトフェルト、発泡ゴム、ポリウレタン等の合成樹脂、または、これらの発泡体、もしくは無機耐火コーキング材等の一種以上から形成したものであり、少なくとも弾性、防水性を有するものである。その貼着、形成は自己接着性、あるいは接着剤を介して、もしくは弾性変形を利用して一体に形成するものである。勿論、これら充填材内に難燃材等を混入し、耐火性を向上させることもできる。
【００２３】
溝部カバー材Ｅは、例えば図４に示すように形成される長尺体であり、ＥＰＭ（エチレンプロピレンゴム）、ＥＰＤＭ（エチレンプロピレンターポリマー）（別名ＥＰＲ、ＥＰＴ）等からなり、天然ゴム、合成ゴムの中で比重が最小で、酸化、熱、化学薬品に対する耐性に優れ、電気的特性が良く、耐候性、耐熱性（耐熱老化性）、耐オゾン性、耐薬品性等に優れているものである。溝部カバー材Ｅは、溝部９にほぼ合致するような形状に形成し、施工時の凹部２２内に存在する固定具βの頭部を隠蔽して防水性、防火性を向上させると共に、意匠性の向上を図るものである。
【００２４】
次に、本発明に係る耐火パネルの取付構造を形成するための代表的な施工法につき説明する。いま図１に示すような目地部Ｆを形成するために、図２に示すような金属薄板材よりなる敷目板３上にロックウールフェルトよりなる不燃シート４を形成した耐火敷目板Ａ、耐火パネルＢとしては図３に示すようなものであり、表面材５、裏面材１７としては、０．５ｍｍ厚のカラー鋼板を使用し、プラスチックフォーム２１としてはフェノールフォームからなる原料を表面材５と裏面材１７間に充填し、反応、発泡させ次にキュアして１５０Ｋｇ／ｍ3 に形成したもの、耐火目地材Ｃとしてはロックウールフェルト、コーキング材Ｄとしてはポリウレタン形変性シリコン系のもの、溝部カバー材Ｅは図４に示すようなＥＰＤＭよりなるものを使用する。また、耐火敷目板Ａの立ち上がり片２間の幅をＴ、耐火パネルＢの全幅をＷとすると耐火敷目板Ａの取付ピッチ≧Ｔ＋Ｗとする。勿論、取付ピッチ＝Ｔ＋Ｗ が好ましいピッチである。
【００２５】
そこで、Ｃ型鋼よりなる躯体αに図２に示すような耐火敷目板Ａを縦に、耐火パネルＢの全幅５９５ｍｍに耐火敷目板Ａの立ち上がり片２の幅５ｍｍをプラスした６００ｍｍのピッチで複数本、固定具βにより固定する。
【００２６】
耐火敷目板Ａの取り付け（割り付け）が完了したら、耐火敷目板Ａの立ち上がり片２間に耐火パネルＢ1 を挿入し、その溝部９を固定具βにより躯体αに固定し、しかる後に隣接する耐火パネルＢ2 の折り返し片１５と耐火パネルＢ1 の突出片１１の間に耐火目地材Ｃを挟持するように耐火パネルＢ2 を配し、溝部１３を固定具βにより躯体αに固定する。
【００２７】
このようにして、耐火パネルＢ間の目地部Ｆが形成されたら、耐火パネルＢ同士の目地間隙にコーキング材Ｄを連続状に化粧面６の表面を越えないように植設する。最後に溝部カバー材Ｅを溝部９と溝部１３に合致するように配設し、施工を完了するものである。
【００２８】
以上説明したのは本発明に係る耐火パネルの取付構造の一実施例にすぎず、図５（ａ）〜（ｄ）〜図１０（ａ）〜（ｄ）に示すような部材を使用したり、目地部Ｆを形成することができる。
【００２９】
すなわち、図５（ａ）〜（ｄ）は耐火敷目板Ａのその他の実施例を示すものであり、（ａ）、（ｂ）図は立ち上がり片２に不燃材２３を配して耐火性を強化した例、（ｃ）図は立ち上がり片２の裏面側にも不燃シート４を配して耐火性を強化した例、（ｄ）図は立ち上がり片２を耐火パネルＢを取り付ける際にガイドとして機能する最小限の大きさに形成した例である。
【００３０】
図６（ａ）〜（ｄ）は溝部カバー材Ｅのその他の実施例を示すものであり、特に（ａ）図は空洞２４を設けて形状の変化を生じ易くすることにより取り付けを容易にした例、（ｄ）図は表面側に耐火材２５を取り付け、固定具βが熱橋となるのを防止する例である。
【００３１】
図７（ａ）〜（ｃ）、図８（ａ）〜（ｃ）は本発明に係る耐火パネルの取付構造のその他の実施例を示すものである。
【００３２】
すなわち、図７（ａ）は耐火パネルＢの端部の全域に不燃ボード２６を配して目地部Ｆの強度と耐火性、および取り付け強度の向上を図った例、図７（ｂ）は耐火パネル雄型固定片７、雌型固定片８の端部に不燃ボード２６を配して目地部Ｆの耐火性の向上を図った例、図７（ｃ）は耐火パネルＢの化粧面６の端部に段差２７を設け、意匠性の向上を図った例である。
【００３３】
また、図７（ａ）、（ｂ）に示される不燃ボード２６は、例えば耐火パネルＢの端部に必要に応じて任意範囲に配するもので、目地部Ｆの防火性の強化のため用いられ、ＪＩＳ−Ａ−１３０４の耐火構造試験の耐火構造１時間試験に合格するためのものであり、例えばケイ酸カルシウム板、炭酸カルシウム板、石膏ボード、パーライトセメント板、ロックウール板、スレート板、ＡＬＣ板、ＰＣ板、その他の無機質軽量体、無機質軽量発泡体、あるいはこれらの複合板の１種以上、もしくは超高密度樹脂（高密度のフェノールフォーム等）からなるものである。
【００３４】
図８（ａ）は、突出片１１および折り返し片１５をそれぞれ化粧面６と平行に形成し、また化粧面６の両端部を切り欠いた切り欠き２８を設けてコーキング材２８を施す際のガイドとした例、図８（ｂ）は突出片１１および折り返し片１５をそれぞれ逆へ字状に屈曲し耐火目地材Ｃの挟持を強力にした例、図８（ｃ）は側壁１０、突出片１１、側壁１４、折り返し片１５にそれぞれ窪みを設け目地材止め２９、コーキング材止め３０を設けてそれぞれ耐火目地材Ｃ、コーキング材Ｄを配する際のガイドおよび配設後のズレを防止する機能を備えた例である。
【００３５】
図９（ａ）は、（ｂ）図、（ｃ）図にそれぞれ示すようなカバー材３１と下地材３２の２部材からなる溝部カバー材Ｅを使用した例である。すなわち、下地材３２は固定具αの取り付けと併せて溝部９と溝部１３内に固定され、それぞれの係止爪３１ａ、３２ａを係合させて目地カバー材Ｅを取り付けるもので、カバー材３１の表面に表れる部分を任意の外観にすることで意匠性を向上させることができる。勿論、カバー材３１は長尺材、下地材３２は短尺材（施工時は複数個使用）か長尺材である。
【００３６】
図１０（ａ）〜（ｄ）はカバー材３１、下地材３２を用いて溝部カバー材Ｅを形成するその他の例であり、特に（ｄ）図はカバー材３１と合致する形状の耐火材３３を用いて耐火性を高めた例である。
【００３７】
【発明の効果】
上述したように本発明に係る耐火耐火パネルの取付構造によれば、▲１▼単体で耐火構造試験の耐火構造１時間試験（ＪＩＳ−Ａ−１３０４）に合格できる。▲２▼耐火パネル単体で耐火構造試験の耐火構造１時間試験（ＪＩＳ−Ａ−１３０４）に合格できる窯業系、セメント系の耐火パネルに比較して軽量であり、施工性が飛躍的に向上する。▲３▼耐火敷目板をガイドとして耐火パネルを取り付けていくので、目地部の耐火性が大幅に向上するのみならず、施工が容易でかつ正確な目地幅を形成でき、外観にも優れた構造となる。▲４▼縦方向に長い耐火パネルを使用できるので、大型の建物に対する施工性が良い。▲５▼耐火パネルの両端を固定する構造であるために、施工強度が向上する。▲６▼溝部カバー材が固定具の頭部を隠蔽し、外部に露出するのを防止する。等の特徴、効果がある。
【図面の簡単な説明】
【図１】本発明に係る耐火パネルの取付構造を示す断面図である。
【図２】耐火敷目板の一例を示す説明図である。
【図３】耐火パネルの一例を示す説明図である。
【図４】溝部カバー材の一例を示す説明図である。
【図５】耐火敷目板のその他の実施例を示す説明図である。
【図６】溝部カバー材のその他の実施例を示す説明図である。
【図７】本発明に係る耐火パネルの取付構造のその他の実施例を示す断面図である。
【図８】本発明に係る耐火パネルの取付構造のその他の実施例を示す断面図である。
【図９】本発明に係る耐火パネルの取付構造のその他の実施例を示す断面図である。
【図１０】本発明に係る耐火パネルの取付構造のその他の実施例を示す断面図である。
【符号の説明】
α  躯体
β  固定具
Ａ  耐火敷目板
Ｂ  耐火パネル
Ｃ  耐火目地材
Ｄ  コーキング材
Ｅ  溝部カバー材
Ｆ  目地部
１  固定片
１ａ  舌片
２  立ち上がり片
３  敷目板
４  不燃シート
５  表面材
６  化粧面
７  雄型固定片
８  雌型固定片
９  溝部
１０  側壁
１１  突出片
１２  補強片
１３  溝部
１４  側壁
１５  折り返し片
１６  補強片
１７  裏面材
１８  裏面化粧面
１９  補強片
２０  芯材
２１  プラスチックフォーム
２２  凹部
２３  不燃材
２４  空洞
２５  耐火材
２６  不燃ボード
２７  段差
２８  切り欠き
２９  目地材止め
３０  コーキング材止め
３１  カバー材
３１ａ  係止爪
３２  下地材
３２ａ  係止爪
３３  耐火材
【図１】
0003806776.tif 000002
【図２】
0003806776.tif 000003
【図３】
0003806776.tif 000004
【図４】
0003806776.tif 000005
【図５】
0003806776.tif 000006
【図６】
0003806776.tif 000007
【図７】
0003806776.tif 000008
【図８】
0003806776.tif 000009
【図９】
0003806776.tif 000010
【図１０】
0003806776.tif 000011